(57)【要約】      （修正有）【課題】吊り下げ式の監視カメラハウジング内に設けられる監視カメラの上下方向の取り付け位置を、取り付け金具を交換することなく調節できる監視カメラ固定具を提供する。【解決手段】上方から吊り下げられるように固定して使用する監視カメラを下方に透明なドーム状のカバーを有するハウジング内に固定する監視カメラ固定具Ｘとして、ハウジング内の前記カバーの上縁よりも高い位置に略水平に取り付けられる板体からなり、前記ハウジングに取り付けられたときに前記ハウジングの略中央となる位置にナット１２が固定された貫通孔又は雌ネジが形成される貫通孔１１が設けられる固定プレート１０と、前記監視カメラを固定するための係合部が下面に設けられた板体からなり、上面の略中央に前記ナット１２又は前記雌ネジに係合するボルトが板面にほぼ垂直に設けられる移動プレート２０とから構成する。【選択図】図１
0003177128.tif 000002
【実用新案登録請求の範囲】
【請求項１】
上方から吊り下げられるように固定して使用する監視カメラを下方に透明なドーム状のカバーを有するハウジング内に固定する固定具であって、
ハウジング内の前記カバーの上縁よりも高い位置に略水平に取り付けられる板体からなり、前記ハウジングに取り付けられたときに前記ハウジングの略中央となる位置にナットが固定された貫通孔又は雌ネジが形成される貫通孔が設けられる固定プレートと、
前記監視カメラを固定するための係合部が下面に設けられた板体からなり、上面の略中央に前記ボルト又は前記雌ネジに係合するボルトが板面にほぼ垂直に設けられる移動プレートと
を有する監視カメラ固定具。
【請求項２】
前記固定プレートにはナットが固定され、当該ナットは、内部が中心線に対称に２以上の駒に分割されるとともに、下方位置にすり鉢状の上面を有するベースが設けられ、前記各駒はベースに弾性体により下方へ押圧されるものであって、当該ナットに対して上方にボルトを押し上げるときには前記駒が前記弾性体に抗して上方に移動し開くことでボルトを自由に通し、ボルトを下げるときには前記駒がすり鉢状のベースによって互いに近づけられることによりボルトに係合して、ボルトを雌ネジに沿って回転させなければ移動できないように規制する構造を有するものである請求項１に記載の監視カメラ固定具。
【請求項３】
前記固定プレートに上端が固定されるワイヤーであって、下端は前記移動プレートにきつく張った状態で固定でき、かつ、分離できるよう形成されているワイヤーを有する請求項１又は２に記載の監視カメラ固定具。
【考案の詳細な説明】
【技術分野】
【０００１】
本考案は吊り下げ式の監視カメラハウジング内に設けられる監視カメラの固定具に関する。
【背景技術】
【０００２】
近年建物内や街角などに設置する監視カメラとして、ドーム状のカバーを有する吊り下げ式のハウジングに収められるものが増えてきている。このようなハウジングには、複数種類の監視カメラに適応できる汎用のものも多い。
【考案の概要】
【考案が解決しようとする課題】
【０００３】
ところで、吊り下げ式の監視カメラハウジングにおいて、カメラの撮像位置が高くなると、ドーム状のカバー上縁よりも上も撮影されることになり、結果として撮影画面の上部が切れてしまうこととなる。これを避けるためには、装着するカメラごとに、固定用の金具を交換して、カメラの位置が十分に下になるように調節することが必要となる。しかし、カメラごとに金具を用意するのは煩雑であり、新製品や海外製品には直ぐに対応できないことも考えられる。
本考案は、このような問題に鑑みて、吊り下げ式の監視カメラハウジング内に設けられる監視カメラの上下方向の取り付け位置を、取り付け金具を交換することなく調節できるようにすることを課題とする。
【課題を解決するための手段】
【０００４】
上記課題を解決するために、本考案は次のような構成を有する。
請求項１に記載の考案は、上方から吊り下げられるように固定して使用する監視カメラを下方に透明なドーム状のカバーを有するハウジング内に固定する監視カメラ固定具として、ハウジング内の前記カバーの上縁よりも高い位置に略水平に取り付けられる板体からなり、前記ハウジングに取り付けられたときに前記ハウジングの略中央となる位置にナットが固定された貫通孔又は雌ネジが形成される貫通孔が設けられる固定プレートと、前記監視カメラを固定するための係合部が下面に設けられた板体からなり、上面の略中央に前記ボルト又は前記雌ネジに係合するボルトが板面にほぼ垂直に設けられる移動プレートと
を有するものである。
【０００５】
請求項２に記載の考案は、前記監視カメラ固定具において、前記固定プレートにはナットが固定され、当該ナットは、内部が中心線に対称に２以上の駒に分割されるとともに、下方位置にすり鉢状の上面を有するベースが設けられ、前記各駒はベースに弾性体により下方へ押圧されるものであって、当該ナットに対して上方にボルトを押し上げるときには前記駒が前記弾性体に抗して上方に移動し開くことでボルトを自由に通し、ボルトを下げるときには前記駒がすり鉢状のベースによって互いに近づけられることによりボルトに係合して、ボルトを雌ネジに沿って回転させなければ移動できないように規制する構造を有するものである。
請求項３に記載の考案は、前記監視カメラ固定具において、  前記固定プレートに上端が固定されるワイヤーであって、下端は前記移動プレートにきつく張った状態で固定でき、かつ、分離できるよう形成されているワイヤーを有するものである。
【考案の効果】
【０００６】
上記のような構成により本考案は次のような効果を奏する。
請求項１に記載の考案は、移動プレートの上面のボルトを固定プレートのナット又は雌ネジに係合させ、移動プレートをボルトを中心に回転させるとボルトがネット又は雌ねじに対して上下に移動することとなる。すなわち、移動プレートの固定プレートに対する上下方向の距離を任意に調節することができので、移動プレート下面に固定する監視カメラの高さも任意に調節することができる。
請求項２に記載の考案は、移動プレートのボルトは上方への移動は回転させなくても押し上げるだけで行うことができるので、移動プレートの位置調整をより簡易に行うことができる。
請求項３に記載の考案は、移動プレートを回転させる際には、ワイヤーを移動プレートから分離させておき、移動プレートの位置が定まった時点でワイヤーを移動プレートにきつく張った状態で固定することで、移動プレートの回転を規制し、振動などでカメラの上下方向の位置がずれることを抑制することができる。
【図面の簡単な説明】
【０００７】
【図１】監視カメラ固定具を示す分解斜視図である。
【図２】固定プレートのナット部分における拡大縦面図である。
【図３】監視カメラ固定具を装着するハウジングの例を示す斜視図である。
【図４】監視カメラ固定具を装着したハウジングの縦断面図である。
【図５】（ａ）は移動プレートを上方に移動させた状態を示す監視カメラ固定具を装着したハウジングの縦断面図であり、（ｂ）は移動プレートを下方に移動させた状態を示す監視カメラ固定具を装着したハウジングの縦断面図である。
【考案を実施するための形態】
【０００８】
以下、本考案の実施の形態について、図面を参照しながら説明する。
図１に実施形態に係る監視カメラ固定具Ｘの分解斜視図を示す。監視カメラ固定具Ｘは、固定プレート１０、移動プレート２０、固定ワイヤー部３０を有する。
固定プレート１０は、長方形状の板体で、左右に固定のための貫通孔１１、１１が設けられ、中央に図示しない貫通孔が設けられるとともに当該貫通孔の上面側にナット１２が溶接固定されている。ナット１２は、日本発条株式会社が製造販売するワンウエイタイプのワンタッチナット（商標）が用いられる。図２に固定プレート１０のナット１１近傍の部分拡大縦断面図を示す。ナット１２は、内部に雌ねじが形成され、下部外周縁にテーパーが形成された円筒体を、中心線に対称に分割した駒１２ａと、駒１２ａの下方を支持するすり鉢状のベース１２ｂと、駒１２ａの上面を下方に押圧するバネ１２ｃとを有する。このような構成により、通常は、バネ１２ｃに下方に押圧される駒１２ａはベース１２ｂの傾斜により内側に縮みナットとしての機能を果たす。ここで、ナット１２にボルト２１が係合させてボルト１２を上方に押し上げると、駒１２ａはバネ１２ｃに抗して上方に押し上げられる結果、駒１２ａはベース１２ｂによる規制が緩くなり、ボルト２１に押されて各駒１２ａは外方へ移動するので、ボルト２１は回転させなくても駒１２ａに拘束されることなく上方に移動することができる。一方、ボルト２１を下方に引っ張ると、駒１２ａはベース１２ｂに押し付けられ、駒１２ａはベース１２ｂの傾斜によって内側に押されるので、駒１２ａの雌ねじはボルト２１に係合してボルト２１は回転させることなく下方に移動することはできない。もっとも雌ネジが形成されているので、ボルト２１を回転させることで下方に移動させることができる。
【０００９】
移動プレート２０は、十字状の板体から構成され、一組の対向する二辺は丸く形成されている。移動プレートの上面中央位置には、ボルト２１が垂直に立設固定されている。また、移動プレート２０の板面には、監視カメラを固定するための貫通孔であるカメラ固定孔２２、指を入れるためのやや大きな２の貫通孔からなるハンドル孔２３、固定ワイヤー３０を通すための貫通孔であるワイヤー固定孔２４が設けられる。
固定ワイヤー部３０は、上端側にリング３１ａ形成する板体が固定された金属性のワイヤー３１と、ワイヤー３１の下端側に嵌合する穴が形成されたゴムからなる円錐台状のワイヤー固定具３２とから構成される。ワイヤー固定具３２は上端側は移動プレート２０のワイヤー固定孔２４の内径よりもやや小さく、下端側はワイヤー固定孔２４の内径よりも大きく形成されている。
【００１０】
以上のような構成を有する監視カメラ固定具Ｘの使用方法について説明する。図３に、監視カメラ固定具Ｘを装着するハウジングＨの斜視図を示す。ハウジングＨは、壁面などに固定されるブラケットＨ3に下垂して固定される本体Ｈ2を有し、本体Ｈ2の下端に透明な半球状のカバーＨ3が設けられる。監視カメラは本体Ｈ2内に固定され、カバーＨ3から外部を撮影する。図４に、ハウジングＨ内で監視カメラＣを固定した監視カメラ固定具Ｘの縦断面図を示す。
固定プレート１０は監視カメラを制御する中央には穴Ｐaが設けられた回路基板Ｐの下方に、貫通孔１１、１１を介してネジによりハウジング本体Ｈ1内に固定される。なお、固定プレート１０はスペーサーによって回路基板から一定距離をおいて固定される。また、片側の貫通孔１１上面とスペーサーとの間にワイヤー３１のリング３１ａをネジを通した状態で狭持固定する。また、ワイヤー３１の下端側は、後述する移動プレート２０の移動に邪魔にならないように、ハウジング本体Ｈ2の内壁に粘着テープで固定しておく。
【００１１】
移動プレート２０は、ボルト２１が固定プレート１０のナット１２に係合することで、固定プレート１０に固定される。なお、移動プレート２０には、必要に応じて監視カメラＣを固定するための金具をカメラ固定孔２２を介して固定しておく。移動プレート２０は、装着する監視カメラＣの大きさに合わせて、移動プレート２０との距離を調節する必要がある。この際、上述したように移動プレート２０は上方には回転させることなく移動できるので、まず、ボルト２１をナット１２に差し込んで、適当な位置まで押し上げ、この位置からハンドル孔２３に指を入れて移動プレート２０を回転させることでボルト２１をナット１２に対して動かし、位置の微調整を行う。移動プレート２０の位置調整が完了したら、ワイヤー３１の下端側の粘着テープを剥がし取り、ワイヤー３１上端の真下に最も近い、移動プレート２０のワイヤー固定孔２４に上から下へと通す。そして、ワイヤー３１の下端からワイヤー固定具３２を通して上方へと押し上げ、ワイヤー固定具３２をワイヤー３１を通したワイヤー固定穴２４に嵌め入れて固定する。その後、ワイヤー３１は下端を引っ張ってきつく張るようにする。監視カメラ２０は、移動プレート２０の位置が定まった状態で移動プレート２０の下面に固定する。
【００１２】
このように、本実施形態に係る監視カメラ固定具Ｘは、ボルト２１のナット１２に対する固定位置で高さを調整することができ、高さのある監視カメラＣaに対しては、図５（ａ）に示すように移動プレート２０を上方に移動させ、あまり高くない監視カメラＣbに対しては、図５（ｂ）に示すように移動プレート２０を下方に移動させることで、いずれの場合も監視カメラのレンズの位置をカバーH2に近接する位置に調節することができる。即ち、多様な監視カメラに対して、レンズの位置が適切になるように位置合わせすることが可能となる。
また、監視カメラの中には、パンやチルトなどの駆動するものもあるが、固定ワイヤー３０により移動プレート２０が固定されるので、監視カメラの動作による振動によって移動プレート２０が回転して高さ位置がずれることが抑制される。
【００１３】
なお、上記実施形態では、固定プレート１０に固定するナット１１としてワンタッチナット（商標）を使用したが、これは一般的なナットを用いてもよく、また、ナット１１を設ける代わりに、中央の貫通孔に雌ねじを切ることで、ボルト２１に係合するようにしてもよい。
また、上記実施形態では、ワイヤー３１を移動プレート２０のワイヤー固定穴２４に固定するようにしているが、移動プレート２０の外周にワイヤー３１がきつく嵌る切り欠きを形成しておき、これにワイヤー３１下端を嵌めることで固定するようにしてもよい。また、ワイヤー３１を使うのではなく、移動プレート２０の外周縁とハウジング本体の内壁とにゴムなどの介在物を挟むことで移動プレート２０を固定するようにしてもよい。
【符号の説明】
【００１４】
Ｘ  逆浸透膜型浄水器ケース
H  ハウジング
C  監視カメラ
１０  固定プレート
１１  ナット
２０  移動プレート
２１  ボルト
３０  固定ワイヤー部
３１  ワイヤー
【図１】
0003177128.tif 000003
【図２】
0003177128.tif 000004
【図３】
0003177128.tif 000005
【図４】
0003177128.tif 000006
【図５】
0003177128.tif 000007